(57)【要約】【課題】    簡単な構造でありながら車椅子等の乗降性に優れたスロープ装置の車両への取付構造の提供を目的とする。【解決手段】スロープ装置の車両への取付構造であって、車両側に固定する取付パネルと、前記スロープ装置の基部側に設けた連結パネルとを、両側のサイド端部にてそれぞれ連結した連結ブラケットを有し、前記連結ブラケットは前記スロープ装置側の連結パネルに荷重が負荷されていない状態では、前記取付パネルよりも高い位置にある段差状態にあり、前記連結パネルに所定の荷重が負荷されると概ね同じ高さに変位するように設定されていることを特徴とする。【選択図】  図１
2018188142.tif 000002
【特許請求の範囲】
【請求項１】
スロープ装置の車両への取付構造であって、
車両側に固定する取付パネルと、前記スロープ装置の基部側に設けた連結パネルとを、両側のサイド端部にてそれぞれ連結した連結ブラケットを有し、
前記連結ブラケットは前記スロープ装置側の連結パネルに荷重が負荷されていない状態では、前記取付パネルよりも高い位置にある段差状態にあり、前記連結パネルに所定の荷重が負荷されると概ね同じ高さに変位するように設定されていることを特徴とするスロープ装置の取付構造。
【請求項２】
前記スロープ装置側の連結パネルの断面形状は、前記取付パネル側が厚肉になっていることを特徴とする請求項１記載のスロープ装置の取付構造。
【請求項３】
前記連結パネルは荷重が負荷されると、それ以上下方に変位しないように前記取付パネルとの重なり部を有していることを特徴とする請求項１又は２記載のスロープ装置の取付構造。
【発明の詳細な説明】
【技術分野】
【０００１】
本発明は車椅子等の車両への乗り降りに使用されるスロープ装置の車両への取付構造に関する。
【背景技術】
【０００２】
車両のフロアに車椅子が乗降しやすいように、この車両のフロアから路面側に展開するスロープ装置の搭載車が公知である。
例えば特許文献１に、第１スロープの車両側フロア部材が車室内フロア後端に固定されているヒンジとピン連結されている取付構造を開示する。
この取付構造を図５に示す。
このようにスロープ装置１００の基部側のフロア部材１０１と、車両側の固定部材１０２とが相互にかみ合うように凹凸形状に切り欠き、ピン部材１０３を連通させる構造は、連結安定性に優れているものの、部材の加工に工数がかかり、組付け作業も大変であった。
そこで本発明者らは、ピン部材を廃止し、フロア部材と固定部材との左右両側のサイド端部をブラケットにて回動自在に連結することを試みた。
しかし、両側のサイド端部をブラケットに連結するだけではスロープ装置に車椅子や、この車椅子を操作する人の荷重が加わると、ブラケット部の遊びやたわみによりスロープ装置の基部側が下がり、固定部材との間に段差部が発生してしまう問題が発生した。
本発明は、このような問題を解決すべくなされたものである。
【先行技術文献】
【特許文献】
【０００３】
【特許文献１】特開２００３−２２６１８６号公報
【発明の概要】
【発明が解決しようとする課題】
【０００４】
本発明は、簡単な構造でありながら車椅子等の乗降性に優れたスロープ装置の車両への取付構造の提供を目的とする。
【課題を解決するための手段】
【０００５】
本発明に係るスロープ装置の取付構造は、スロープ装置の車両への取付構造であって、車両側に固定する取付パネルと、前記スロープ装置の基部側に設けた連結パネルとを、両側のサイド端部にてそれぞれ連結した連結ブラケットを有し、前記連結ブラケットは前記スロープ装置側の連結パネルに荷重が負荷されていない状態では、前記取付パネルよりも高い位置にある段差状態にあり、前記連結パネルに所定の荷重が負荷されると概ね同じ高さに変位するように設定されていることを特徴とする。
【０００６】
本発明は、スロープ装置の基部の連結パネルの左右方向両側のサイド端部にて連結ブラケットを用いて車両のフロア端部の取付パネルと回動自在に連結することで、従来のピンを連通するための連結パネルと取付パネルとの、かみ合わせ凹凸切欠き加工が不要になる。
スロープ装置には車椅子を車両に乗せる際の荷重が負荷される。
また、車椅子をスロープ装置に沿って降りる際には車椅子を引き下ろす人の荷重がスロープ装置に負荷される。
そこで本発明は、ブラケット及び連結パネルに負荷される荷重を予め想定し、荷重が負荷される前の車両側の取付パネルの上面の高さよりもスロープ装置の基部側の連結パネルの上面の高さの方が高い位置にあるように段差状に設定した。
これによりスロープ装置に車椅子や操作者の自重が負荷されると、上記段差が解消されるように連結パネルが下降あるいはたわみ変位するようにしたものである。
【０００７】
本発明において、前記スロープ装置側の連結パネルの断面形状は、前記取付パネル側が肉厚になっているのが好ましい。
このようにすると、連結パネルのたわみ変位を抑えることができる。
また、連結パネルは荷重が負荷されると、それ以上下方に変位しないように前記取付パネルとの重なり部を有しているようにしてもよい。
このようにすると、連結パネルが下方に変位すると取付パネルの上面に当接し、それ以上、下方に下がるのを防ぐ。
【発明の効果】
【０００８】
本発明に係るスロープ装置の取付構造は、スロープ装置に荷重が負荷されると連結部に段差が生じないようにスロープ装置の基部の固定パネルへの連結高さを設定したので、簡単な構造でありながら、車椅子等の乗降性に優れる。
【図面の簡単な説明】
【０００９】
【図１】本発明に係るスロープ装置の取付構造例を示す。
【図２】ブラケット部の構造例をを示す。
【図３】Ａ−Ａ線断面図にて連結パネルの変位を示し、（ａ）は変位前、（ｂ）は変位後を示す。
【図４】連結ブラケットの例を示す。
【図５】従来の取付構造例を示す。
【図６】取付構造の実施例２を示す。
【図７】取付構造の実施例３を示す。
【図８】取付構造の実施例４を示す。
【発明を実施するための形態】
【００１０】
本発明に係るスロープ装置の取付構造例を以下、図に基づいて説明する。
車両のフロア端部からスロープ装置１０を、車外、例えば路面に向けて展開した状態を図１に示す。
車両のフロアの図示を省略したが、取付パネル１４が締結孔１４ａを介して、フロア端部にボルト等にて固定してある。
スロープ装置１０のベーススロープ１１の基部側に設けた連結パネル１１ｄと取付パネル１４とが左右のサイド端部にて連結ブラケット１５，１６にて回動自在に連結されている。
図２に連結ブラケット部分の拡大図を示し、図４に連結ブラケット１５の斜視図を示す。
連結ブラケット１５，１６の固定孔１５ａ，１６ａをスロープ装置のレールの基部側に固定部材１７ａにて固定し、他端に設けた軸着孔１５ｂ，１６ｂを用いて取付パネルに軸着部材１７ｂで軸着してある。
【００１１】
本実施例では、スロープ装置１０はベーススロープ１１に第１スライドスロープ１２、さらに第２スライドスロープ１３が順次伸縮可能に連結された例になっているが、これに限定されない。
ベーススロープ１１はパネル部材１１ａの両側にサイドレール１１ｂ，１１ｃを有し、このサイドレールに沿って第１スライドスロープ１２の第１スライドパネル１２ａの両側に連結した第１スライドレール１２ｂ，１２ｃがスライド伸縮する。
第２スライドスロープ１３の第２スライドパネル１３ａの両側の第２スライドレール１３ｂ，１３ｃが第１スライドレール１２ｂ，１２ｃに沿ってスライドする。
スロープ装置１０を使用しない時には、第２スライドスロープ及び第１スライドスロープをベーススロープ１１側に収縮し、起立させて車内に格納する。
【００１２】
図３に図１のＡ−Ａ線断面図（実施例１）を示す。
スロープ装置１０に車椅子等の荷重が負荷されていない状態では、連結パネル１１ｄの上面の高さが固定パネル１４の上面よりｄ１だけ高くなっている。
これに対してスロープ装置に所定の負荷が加わると連結パネル１１ｄが下降するように変位し、高さが同一（ｄ０）になり段差が解消される。
この際にブラケットの取付部の遊びや、荷重によるたわみ変形を考慮し、連結パネル１１は、固定パネル側が一般部１１ｅより厚肉部１１ｆになっている。
なお、連絡ブラケット１５，１６の他端の軸着孔１５ｂ，１６ｂを用いて軸着部材１７ｂを介して、取付パネルの軸孔１４ｂと軸着されている。
【００１３】
図６に実施例２を示す。
取付パネル１４の連結パネル１１ｄ側に、上面から少し低くなるように、段差部１４ｃを形成してある。
一方、連結パネル１１ｄ側は、上記取付パネル１４に形成した段差部１４ｃの上方に位置するように重なり部１１ｇを形成してある。
連結パネル１１ｄに荷重が負荷されていない状態では図６（ａ）に示すように、取付パネルの段差部１４ｃの上面と、連結パネルの重なり部１１ｇの下面との間に所定の隙間ｄ２を有するが、連結パネル１１ｄに荷重が負荷されると、連結ブラケット１５との間に有する遊びや撓み変形によりこの隙間ｄ２の値が小さくなるが、重なり部１１ｇが連結パネルの段差部１４ｃに当接するので、それ以上下方に変位するのを抑える。
この重なり部の形状や構造に制限はなく、例として実施例３を図７、実施例４を図８に示す。
実施例３は、取付パネル１４の連結パネル側に下方に向けて傾斜した斜面部１４ｄを有し、この斜面部１４ｄに重なるように連結パネル１１ｄ側に下面が傾斜した重なり部１１ｈを形成した例である。
連結パネル１１ｄに荷重が負荷されていない場合には、隙間ｄ３を有する。
実施例４は、プレート状の重なり部（重なり部材）１１ｉを連結パネル１１ｄの上面に固定した例である。
この場合に、プレート状の重なり部と取付パネルとの間に隙間ｄ３を有するが、荷重が負荷されるとこの隙間ｄ３が無くなるとともに、それ以上の変位はプレート状の重なり部の撓みによって吸収することができる。
【符号の説明】
【００１４】
１１ｄ    連結パネル
１１ｇ，１１ｈ，１１ｉ    重なり部
１４      取付パネル
１５      連結ブラケット
１６      連結ブラケット
【図１】
2018188142.tif 000003
【図２】
2018188142.tif 000004
【図３】
2018188142.tif 000005
【図４】
2018188142.tif 000006
【図５】
2018188142.tif 000007
【図６】
2018188142.tif 000008
【図７】
2018188142.tif 000009
【図８】
2018188142.tif 000010